(57)【特許請求の範囲】
【請求項１】
外刃と、外刃を固定する外刃枠と、外刃の下面に配置される内刃と、内刃を駆動側に連結する内刃継手と、内刃を外刃の内面に向けて押圧する内刃押上バネとを備えた往復式電気かみそりの刃において、かみそり本体に設けた保持枠に着脱自在に保持されるガイド枠を備え、ガイド枠に上記外刃を固定した外刃枠が結合する結合部と、上記内刃押上バネの下端を支持するバネ受け部とを設けたことを特徴とする往復式電気かみそりの刃。
【請求項２】
上記内刃の往復駆動方向に沿う外刃枠の長手方向両端の上部に、外刃の表面よりも突出する押さえ部を夫々設け、押さえ部を介して外刃枠を押さえることで、外刃を固定した外刃枠をガイド枠の結合部に結合可能としたことを特徴とする請求項１記載の往復式電気かみそりの刃。
【請求項３】
上記内刃の往復駆動方向に沿うガイド枠の長手方向両端に結合部を夫々配置して、外刃枠の長手方向両端を結合させたことを特徴とする請求項１記載の往復式電気かみそりの刃。
【請求項４】
上記ガイド枠は、長手方向両端に位置する一対の枠部と、一対の枠部を互いに連結する連結部とが一体に形成され、各枠部に結合部とバネ受け部とを夫々設けたことを特徴とする請求項１乃至３のいずれか一項に記載の往復式電気かみそりの刃。
【請求項５】
上記ガイド枠は、分離された左右一対の枠部により構成され、各枠部に結合部とバネ受け部とを夫々設けたことを特徴とする請求項１乃至３のいずれか一項に記載の往復式電気かみそりの刃。
【請求項６】
上記連結部は、ガイド枠の長手方向と直交する前後方向両側に夫々配置される複数本の壁で構成されていることを特徴とする請求項４記載の往復式電気かみそりの刃。
【請求項７】
上記前後方向両側に夫々配置される複数本の壁が、上下方向に異なる高さで配置されていることを特徴とする請求項６記載の往復式電気かみそりの刃。
【請求項８】
上記前後方向両側に夫々配置される複数本の壁のうち、少なくとも１本の壁が、外刃の側面に沿って配置されることを特徴とする請求項７記載の往復式電気かみそりの刃。
【請求項９】
上記内刃の往復駆動方向に沿う外刃枠の長手方向両端に、外刃枠とガイド枠との隙間を上方から覆う覆い部を突設したことを特徴とする請求項１乃至８のいずれか一項に記載の往復式電気かみそりの刃。
【請求項１０】
上記ガイド枠のバネ受け部近傍に下方に開口した穴を設けたことを特徴とする請求項１又は４又は５のいずれか一項に記載の往復式電気かみそりの刃。
【請求項１１】
上記ガイド枠のバネ受け部近傍に前後方向に開口した穴を設けたことを特徴とする請求項１又は４又は５又は１０のいずれか一項に記載の往復式電気かみそりの刃。
【請求項１２】
上記かみそり本体に設けた保持枠が、内刃の往復駆動方向に沿うガイド枠の長手方向への開きを阻止する機能を有することを特徴とする請求項１乃至１１のいずれか一項に記載の往復式電気かみそりの刃。
【発明の詳細な説明】
【技術分野】
【０００１】
本発明は、往復式電気かみそりの刃に関し、詳しくは外刃と外刃枠との結合を内刃ブロックとは独立して行なうための技術に関するものである。
【背景技術】
【０００２】
従来から、往復式電気かみそりの粗剃り用スリット刃は、例えば図１１に示すように、外刃１Ａと、外刃１Ａを固定する外刃枠２Ａと、外刃１Ａの下面に配置される内刃３Ａと、内刃３Ａを駆動側に連結する内刃継手４Ａと、内刃３Ａを外刃１Ａの内面に向けて押圧する内刃押上バネ５Ａとを備え、内刃押上バネ５Ａの下端を外刃枠２Ａに設けたバネ受け部１０Ａにて支持し、内刃継手４Ａを内刃押上バネ５Ａの上端にて支持した状態で、外刃１Ａを外刃枠２Ａに対してヒートシール固定することで、スリット刃ブロック１８を組み立てる構造が知られている（例えば、特許文献１参照）。
【０００３】
ところが上記特許文献１に見られる従来例においては、外刃１Ａを外刃枠２Ａに固定する際に、内刃押上バネ５Ａのバネ付勢力Ｆに抗して外刃１Ａを外刃枠２Ａにヒートシール固定しなければならず、このため、剛性の高い外刃１Ａのみ組立が可能となり、剛性の低い外刃１Ａではバネ付勢力で変形して組立がうまくできないという不具合があった。
【特許文献１】特開平１１−４２３７８号公報
【発明の開示】
【発明が解決しようとする課題】
【０００４】
本発明は上記の従来の問題点に鑑みて発明したものであって、剛性の低い外刃であっても保持枠との組立を可能にするための新規なガイド枠を用いた往復式電気かみそりの刃を提供することを課題とするものである。
【課題を解決するための手段】
【０００５】
前記課題を解決するために本発明にあっては、外刃１と、外刃１を固定する外刃枠２と、外刃１の下面に配置される内刃３と、内刃３を駆動側に連結する内刃継手４と、内刃３を外刃１の内面に向けて押圧する内刃押上バネ５とを備えた往復式電気かみそりの刃において、かみそり本体に設けた保持枠７に着脱自在に保持されるガイド枠８を備え、ガイド枠８に上記外刃１を固定した外刃枠２が結合する結合部９と、上記内刃押上バネ５の下端を支持するバネ受け部１０とを設けたことを特徴としている。
【０００６】
このような構成とすることで、従来にはない新規なガイド枠８の結合部９に対して外刃１を固定した外刃枠２を結合させる一方で、ガイド枠８のバネ受け部１０により内刃押上バネ５の下端を支持することによって、外刃１と外刃枠２とからなる外刃ブロック６Ａと、内刃３と内刃継手４と内刃押上バネ５とからなる内刃ブロック６Ｂとをガイド枠８を利用して簡単に組み立てることができる。しかも、外刃ブロック６Ａの組み立てを内刃ブロック６Ｂの内刃押上バネ５からのバネ付勢力が加わらない状態で行なうことができるので、剛性の低い外刃１であっても変形させることなく外刃枠２との結合ができ、外刃ブロック６Ａの組立が容易となる。
【０００７】
また、上記内刃３の往復駆動方向に沿う外刃枠２の長手方向Ａ両端の上部に、外刃１の表面よりも突出する押さえ部１１を夫々設け、押さえ部１１を介して外刃枠２を押さえることで、外刃１を固定した外刃枠２をガイド枠８の結合部９に結合可能とするのが好ましく、この場合、外刃１を直接押すことなく、外刃１を外刃枠２に結合可能となるので、外刃１が変形することなく、組立がしやすくなる。
【０００８】
また、上記内刃３の往復駆動方向に沿うガイド枠８の長手方向Ａ両端に結合部９を夫々配置して、外刃枠２の長手方向Ａ両端を結合させるのが好ましく、この場合、ガイド枠８の長手方向Ａと直交する前後方向Ｂを薄型化できる。
【０００９】
また、上記ガイド枠８は、長手方向Ａ両端に位置する一対の枠部１２と、一対の枠部１２を互いに連結する連結部１３とが一体に形成され、各枠部１２に結合部９とバネ受け部１０とを夫々設けるのが好ましく、この場合、一対の枠部１２と連結部１３との一体化によりガイド枠８の強度が向上し、これに伴い外刃枠２との結合強度が高まり、組立の信頼性が向上する。
【００１０】
また、上記ガイド枠８は、分離された左右一対の枠部１２により構成され、各枠部１２に結合部９とバネ受け部１０とを夫々設けるのが好ましく、この場合、ガイド枠８の分離化によって小型化が図られ、これに伴い組立がしやすくなる。
【００１１】
また、上記連結部１３は、ガイド枠８の長手方向Ａと直交する前後方向Ｂ両側に夫々配置される複数本の壁１３ａ，１３ｂで構成されているのが好ましく、この場合、外刃枠２の前後両面を前後の壁１３ａ，１３ｂによって挟持可能となり、ガイド枠８に対する外刃枠２の結合強度が一層向上する。
【００１２】
また、上記前後方向Ｂ両側に夫々配置される複数本の壁１３ａ，１３ｂが、上下方向に異なる高さで配置されているのが好ましく、この場合、外刃枠２の前後両面を前後の高さの異なる壁１３ａ，１３ｂにて挟持可能とすることで、外刃枠２の結合強度向上に加えて、結合の安定性が向上し、さらに前後の高さの異なる壁１３ａ，１３ｂの開口部に外刃枠２を挿入しやすくなり、組立が一層しやすくなる。
【００１３】
また、上記前後方向Ｂ両側に夫々配置される複数本の壁１３ａ，１３ｂのうち、少なくとも１本の壁１３ｂが、外刃１の側面に沿って配置されるのが好ましく、この場合、外刃枠２の結合強度向上に加えて、外刃１の側面に配置される壁１３ｂによって髭剃り時に外刃１に対して肌が強く当たることを防止できるようになる。
【００１４】
また、上記内刃３の往復駆動方向に沿う外刃枠２の長手方向Ａ両端に、外刃枠２とガイド枠８との隙間１４を上方から覆う覆い部１５を突設するのが好ましく、この場合、覆い部１５によってガイド枠８と外刃枠２との隙間１４を覆うことにより、髭が該隙間１４の奥まで入り込むことがなくなり、従って、髭剃り時における髭引きを防止できるようになる。
【００１５】
また、上記ガイド枠８のバネ受け部１０近傍に下方に開口した穴１６を設けるのが好ましく、この場合、髭くずが穴１６から下方へ落下するので、ガイド枠８内部に髭くずが溜まるのを防止できると共に、穴１６の下方から内刃押上バネ５の取り付け状態を容易に確認できる。
【００１６】
また、上記ガイド枠８のバネ受け部１０近傍に前後方向に開口した穴１７を設けるのが好ましく、この場合、髭くずが穴１７から前後方向Ｂへ排出されるので、ガイド枠８内部に髭くずが溜まるのを防止できると共に、前後方向Ｂから穴１７を通して内刃押上バネ５の取り付け状態を容易に確認できる。
【００１７】
また、上記かみそり本体に設けた保持枠７が、内刃３の往復駆動方向に沿うガイド枠８の長手方向Ａへの開きを阻止する機能を有するのが好ましく、この場合、ガイド枠８を保持枠７に保持した状態で、保持枠７を利用してガイド枠８の長手方向Ａへの開きが止められるので、組立の信頼性を向上させることができる。
【発明の効果】
【００１８】
本発明は、新規なガイド枠を用いて外刃と外刃枠との結合をバネ付勢力が加わらない状態で行なうことにより、剛性の低い外刃であっても保持枠との結合が可能となり、外刃の組立を簡単に行なうことができる。
【発明を実施するための最良の形態】
【００１９】
以下、本発明を添付図面に示す実施形態に基いて説明する。
【００２０】
本例の往復式電気かみそりのへッド部には、例えば図１０に示すように、各々が独立してフロート自在な４枚の刃ヘッド２１〜２４が着脱自在に取り付けられている。このうち、中央には２枚の補助刃ヘッド２３，２４が並んで配置され、その両外側に２枚のアーチ状の仕上げ剃り用主刃ヘッド２１，２２が夫々配置されている。
【００２１】
図１０において、２枚の仕上げ剃り主刃ヘッド２１，２２は、従来と同様、外刃２５Ａ、外刃枠２６Ａ、内刃２７Ａ、内刃継手２８Ａ、外刃カバー２９Ａ等で構成されている。
【００２２】
また、２枚の補助刃ヘッド２３，２４の一方が、アーチ状の仕上げ剃り刃ブロック６で構成され、他方がスリット刃１Ａと内刃３Ａと内刃継手４Ａ等を備えた粗剃り用刃ブロック１８で構成されている。
【００２３】
以下、補助刃ヘッド２３を構成する仕上げ剃り刃ブロック６について説明する。なお以下において、内刃３の往復駆動する方向を長手方向Ａ又は左右方向とし、この方向と直交する方向を前後方向Ｂとする。
【００２４】
この仕上げ剃り刃ブロック６は、図１に示すように、多数の刃孔を有する金属薄板から成る外刃１（ネット刃）と、外刃１を固定する外刃枠２とからなる外刃ブロック６Ａと、外刃１の下面に配置される内刃３と、内刃３を駆動側に連結する内刃継手４と、内刃３を外刃１の内面に向けて押圧する内刃押上バネ５とからなる内刃ブロック６Ｂとで構成される。
【００２５】
上記外刃枠２の前後両下端部にヒートシールボス２７が夫々突設され、外刃１をアーチ状に湾曲させて外刃１の前後両下端部に夫々設けた係合孔２８をヒートシールボス２７に嵌め込んだ状態で、外刃１と外刃枠２とがヒートシール固定されることにより、外刃ブロック６Ａが組み立てられる。
【００２６】
内刃３は板金をプレス曲げして全体をアーチ状に形成したものであって、上に凸の断面略円弧状を成す上側部分にスリット孔２９を複数形成することで逆Ｕ字状の刃片３０が複数並設させたものであり、内刃３の前後両下端から夫々下方に延設される下側部分には、中央側に切欠部３１を夫々凹設し、切欠部３１の左右両側に、下側に開口した略円形状の円凹部３２を夫々凹設し、さらに両外側に下方に開口した略矩形状の角凹部３３を夫々凹設している。
【００２７】
内刃継手４の下部中央にはかみそり本体の駆動子側に着脱自在に連結される連結凹部３４が設けられている。内刃継手４の前後方向Ｂの両壁面には夫々、角柱状の角凸部３５と円筒状のヒートシールボス３６とが並べて突設されている。そして、内刃３の下方から内刃継手４を内部に挿入すると共に、内刃継手４のヒートシールボス３６を内刃３の円凹部３２に嵌め込んで位置決めした状態で、ヒートシールボス３６をヒートシールすることで行われる。加えて、内刃３に内刃継手４を装着した状態では内刃３の角凹部３３に内刃継手４の角凸部３５が嵌合することで、内刃継手４に対する内刃３の左右の位置決めが行なわれる。図１中の６０はバネ受け部である。
【００２８】
また図１の例では、内刃継手４の上部に、複数枚の振動板４０と、これらの振動板４０を支持する１本の支持部４１とが設けられている。複数の振動板４０は、内刃３に設けた複数の刃片３０のうちの数本(例えば４〜６本)の刃片３０の下方に垂直に配置されている。各振動板４０は、逆Ｕ字状の刃片３０の内面に沿って屈曲した逆Ｕ字状に夫々形成されており、振動板４０の頂部上端には左右一対の突片４２が設けられており、これら左右一対の突片４２で１枚の刃片３０の頂部下面を左右から挟み込むことによって、各振動板４０の上端と各刃片３０の頂部下面とが個別に、左右方向（つまり内刃３の往復駆動方向）に連結固定されている。また、各振動板４０の夫々の下端部は、内刃継手４の１本の支持部４１に一体成形されている。ここでは、各振動板４０の下端中央を一点支持した中央一点支持構造を有しており、これにより、振動板４０の自由度が高められ、髭剃り時に内刃３の刃片３０が髭が切断する際に刃片３０に連結された振動板４０が振動して心地よい振動音（剃り音）を発生させる仕組みとなっている。
【００２９】
ここで本発明においては、図１（ｂ）の矢印ハに示す方向に、かみそり本体に設けられる保持枠７に対して着脱自在に保持される新規なガイド枠８を備えている。
【００３０】
新規なガイド枠８は、長手方向Ａ両端に位置する一対の枠部１２と、一対の枠部１２を互いに連結する連結部１３とが一体に形成されており、一対の枠部１２の内面に夫々結合部９が設けられ、各枠部１２の外面に夫々保持枠７にフロート自在に保持されるガイド突起４５が設けられ、各枠部１２の下端から長手方向Ａに延びる底面部に夫々バネ受け部１０が設けられている。
【００３１】
さらに各枠部１２の外側面には、夫々、カバー片４３が設けられている。各カバー片４３の内面には縦リブ４４（図８）が形成され、カバー片４３と対向する枠部１２の外面にはガイド突起４５（図８）が突設され、一方、保持枠７には上記縦リブ４４が上方(図１（ｂ）の矢印ハの方向)から挿入される上方に開放された凹溝４６と、ガイド突起４５が係合する係合突起４８が設けられている。そして、各枠部１２の縦リブ４４が外刃枠２の凹溝４６に沿ってフロート自在とされると共にガイド突起４５と係合突起４８との係止によってガイド枠８が保持枠７から簡単に外れない状態で組み立てられる。
【００３２】
上記ガイド枠８の連結部１３は、ガイド枠８の長手方向Ａと直交する前後方向Ｂ両側に夫々配置される２本の壁１３ａ，１３ｂで構成されている。各壁１３ａ，１３ｂの長手方向Ａの一端は一方の枠部１２の底面部に夫々連設され、各壁１３ａ，１３ｂの長手方向Ａの他端は他方の枠部１２の底面部に夫々連設されている。図１の例では、前側の１本の壁１３ａと後側の１本の壁１３ｂの計２本で構成されており、２本の壁１３ａ，１３ｂの間に、外刃１を固定した外刃枠２が配置されるようになっている。なお壁１３ａ，１３ｂの数は特に限定されず、適宜変更自在である。
【００３３】
また上記ガイド枠８の結合部９は、図１に示すように、ガイド枠８の長手方向Ａ両端から内方に突出する爪状に形成されており、外刃枠２の長手方向Ａ両端に設けたフック４７を爪状の結合部９に引っ掛けることで、外刃枠２とガイド枠８とを結合するようにしている。
【００３４】
しかして、上記構成の仕上げ剃り刃ブロック６（外刃ブロック６Ａ、内刃ブロック６Ｂ）を組み立てるにあたっては、予め、外刃１と外刃枠２とをヒートシール固定して外刃ブロック６Ａを組み立てておく。従って、外刃１と保持枠７との組立時に外刃１に内刃押上バネ５からのバネ付勢力が加わることがないため、剛性の高い外刃１は勿論のこと、剛性の低い外刃１であっても変形させることなく外刃１と外刃枠２の結合が可能となり、外刃ブロック６Ａの組立を簡単に行なうことができる。その後、ガイド枠８のバネ受け部１０にて内刃押上バネ５の下端を支持し、内刃押上バネ５の上端を内刃３と一体に固着された内刃継手４のバネ受け部６０に嵌め込んだ状態で、内刃３の上に上記外刃ブロック６Ａの外刃１を被せるようにして、外刃枠２の長手方向Ａ両端に設けたフック４７をガイド枠８の長手方向Ａ両端に設けた爪状の結合部９に結合させることにより、仕上げ剃り刃ブロック６が完成する。
【００３５】
また本例のガイド枠８は、一対の枠部１２と連結部１３とが一体化されているので、ガイド枠８の強度が向上し、これに伴い外刃枠２との結合強度が高まる。しかも、外刃枠２の前後両面をガイド枠８の連結部１３を構成する前後の２本の壁１３ａ，１３ｂによって挟持できると共に、前後２本の壁１３ａ，１３ｂを上下方向に高さを異ならせたことによって、外刃枠２の結合強度向上と安定性向上とが図られるうえに、前後の高さの異なる壁１３ａ，１３ｂ間の開口幅が広がることによって、その間に外刃枠２を挿入しやすくなり、さらに内刃押上バネ５の取り付け位置が一層見えやすくなり、組立の信頼性が大幅に向上する利点がある。そのうえ、ガイド枠８の長手方向Ａ両端に夫々結合部９を設けると共に、外刃枠２の長手方向Ａ両端に夫々フック４７を設けたので、ガイド枠８と外刃枠２との結合が長手方向Ａ両端側で行なわれることによって、外刃枠２とガイド枠８の夫々の前後方向Ｂの厚みを小さくでき、仕上げ剃り刃ブロック６の薄型、小型化が容易にできる利点がある。
【００３６】
さらに組立後においてかみそり本体に設けた保持枠７にガイド枠８を保持した状態では、保持枠７がガイド枠８の長手方向Ａへの開き（図９の矢印ロの方向）を阻止する構造となっている。これによりガイド枠８の開きが保持枠７で強制的に阻止されるので、組立の信頼性をより向上させることができる利点もある。
【００３７】
また、仕上げ剃り刃ブロック６（外刃ブロック６Ａ，内刃ブロック６Ｂの一方又は両方）を交換するときは、これをガイド枠８と一体に保持枠７から取り外し、ガイド枠８から刃ブロック６を取り外すことで簡単に行なうことができる利点もある。
【００３８】
図３は他の実施形態であり、上記外刃枠２の長手方向Ａ両端の上部に、外刃１の表面よりも上方に向けて突出する押さえ部１１を夫々設け、押さえ部１１を介して外刃枠２を押さえることで、外刃１を固定した外刃枠２をガイド枠８の結合部９に結合可能とした構造の一例を示している。他の構成は図１、図２と同様である。なお図３では内刃３及び内刃押上バネ５の図示を省略している。本例では、組立時に図３の矢印で示す押さえ部１１を上から押して組立てを行なうことによって、外刃１を直接押すことなく外刃１と外刃枠２との組立ができるので、外刃１が変形することがなく、組立がしやすくなるという利点がある。
【００３９】
またガイド枠８として、上記実施形態では図４（ａ）に示すように、一対の枠部１２を連結部１３を介して一体化した場合を説明したが、他の実施形態として、図４（ｂ）に示すように、連結部１３を用いず、ガイド枠８を分離した左右一対の枠部１２により構成して、各枠部１２に結合部９とバネ受け部１０とを夫々設けるようにしてもよい。つまり、図１、図２に示した結合部９を各枠部１２の内面に夫々設け、ガイド突起４５を各枠部１２の外面に夫々設け、バネ受け部１０を各枠部１２の下端から長手方向Ａに延びる底面部に夫々設けるようにする。このようにガイド枠８を左右に分離することによって、ガイド枠８の小型化が図られ、これに伴い組立が一層、容易となる。
【００４０】
図５はさらに他の実施形態であり、上記ガイド枠８の連結部１３を、前後方向Ｂ両側に夫々配置される２本の壁１３ａ，１３ｂで構成する場合において、その壁１３ａ，１３ｂの配置の態様を示したものであり、（ａ）は前後２本の壁１３ａ，１３ｂが同じ高さで配置された場合を示し、（ｂ）は前後２本の壁１３ａ，１３ｂが上下方向に異なる高さで配置された場合を示し、（ｃ）は後側の１本の壁１３ｂが外刃１の側面に沿って配置された場合を示している。（ａ）の場合は、外刃枠２の前後両面を壁１３ａ，１３ｂで夫々支持できるようになり、（ｂ）の場合は、図１の実施形態で述べた通り、外刃枠２の結合強度向上と安定性向上とが図られる。また（ｃ）の場合は、外刃１の側面に配置される壁１３ｂによって髭剃り時に外刃１に対して肌が強く当たることを防止できる利点がある。
【００４１】
図６はさらに他の実施形態であり、外刃枠２の長手方向Ａ両端に、外刃枠２とガイド枠８との隙間１４を上方から夫々覆う覆い部１５を突設した場合の一例を示し、図７はその具体的な構造を示している。他の構成は図１、図２と同様である。本例では、外刃枠２の長手方向Ａ両端に設けられる押さえ部１１（図３）をさらに外方に延ばしてその先端を覆い部１５としている。さらに、図７（ａ）（ｂ）に示すようにガイド枠８の長手方向Ａ両端の上部には夫々、一段低くなった水平な段部９０が設けられ、この段部９０の上に覆い部１５が係合することで、ガイド枠８と外刃枠２との隙間１４を覆い部１５によって覆われた状態となり、髭剃り時に比較的長い髭や毛が矢印方向イから隙間１４の奥まで入り込むことを防止でき、髭引き（長い毛や髭が隙間１４に入り込んで引っ張られること）の防止に効果的となる。しかも、覆い部１５と段部９０とによって隙間１４が確実に分断されるので、髭引き防止が確実に行なわれるものであり、さらに覆い部１５は押さえ部１１の延長上に配置されるので、覆い部１５が押さえ部１１としての機能も有することとなり、これにより押さえ部１１の面積が大きくなり、外刃枠２とガイド枠８との組立時において前記図３の矢印で示す押さえ部１１を上から押して組立てを行なう際に、押さえ部１１の面積が大きいことから、押さえ部１１を確実に押すことかでき、組立性が一層向上するものである。
【００４２】
図８はさらに他の実施形態であり、ガイド枠８の枠部１２におけるバネ受け部１０近傍に下方に開口した穴１６と、前後方向に開口した穴１７とを夫々設けた場合の一例を示している。他の構成は図１、図２と同様である。本例では、下方に開口した穴１６は、バネ受け部１０の下面周囲を囲む３箇所に設けられた２つの小さな丸穴１６ａ，１６ａと、１つの大きな半丸穴１６ｂとからなる。一方、前後方向に開口した穴１７は、バネ受け部１０の前後面に夫々１箇所設けられた２つの四角穴１７ａ，１７ａからなる。これら各穴１６、１７はガイド枠８の左右のバネ受け部１０に夫々設けられている。しかして、髭くずは下方に開口した穴１６(左右夫々３個ずつ、計６個）から下方へ落下したり、前後方向に開口した穴１７(前後２個、左右２個、計４個)から前方或いは後方へと排出されるので、髭くずが溜まるのを防止できると共に、組立時には下方或いは前後方向から穴１６、１７を通して内刃押上バネ５の取り付け状態を容易に確認できるようになり、組立の信頼性向上を図ることができる。
【００４３】
本実施形態の往復式電気かみそりの刃ヘッドとして、図１０に示す２枚の主刃ヘッド２１，２２間に２枚の補助刃ヘッド２３，２４を配置した４枚刃に限らず、例えば２枚の主刃ヘッド２１，２２間に１枚の補助刃ヘッド２３（仕上げ剃り刃ブロック６）を配置した３枚刃であってもよい。
【図面の簡単な説明】
【００４４】
【図１】（ａ）は本発明のガイド枠を用いて構成される刃ブロックとの分解斜視図であり、（ｂ）は同上の刃ブロックを保持する保持枠の斜視図である。
【図２】（ａ）は同上の外刃を外刃枠に固定した状態の概略構成図であり、（ｂ）は同上の外刃を固定した外刃枠をガイド枠に装着すると共にガイド枠を保持枠に保持した状態の概略構成図である。
【図３】他の実施形態を示す斜視図である。
【図４】さらに他の実施形態であり、（ａ）は同上のガイド枠が一体形成されている場合の概略構成図、（ｂ）は同上のガイド枠を左右に分離させた場合の概略構成図である。
【図５】さらに他の実施形態であり、（ａ）は同上の内刃継手の連結部を構成する前後２本の壁が同じ高さで配置された場合を示す概略構成図、（ｂ）は上記前後２本の壁が上下方向に異なる高さで配置された場合を示す概略構成図、（ｃ）は後側の１本の壁が外刃の側面に沿って配置された場合を示す概略構成図である。
【図６】さらに他の実施形態であり、同上の外刃枠の長手方向両端に、外刃枠とガイド枠との隙間を上方から夫々覆う覆い部を突設した場合の概略構成図である。
【図７】（ａ）は図６の覆い部付近の斜視図、（ｂ）は（ａ）のＥ部の拡大斜視図である。
【図８】さらに他の実施形態であり、同上のガイド枠の一方の枠部における下方に開口した穴と、前後方向に開口した穴とを説明する下方から見た斜視図である。
【図９】同上のかみそり本体に設けた保持枠によりガイド枠が長手方向に開くのを阻止する場合を示す概略構成図である。
【図１０】同上の往復式電気かみそりの刃ヘッドが４枚刃である場合において、そのうちの１枚がガイド枠を用いた補助刃ヘッドで構成される場合を説明する分解斜視図である。
【図１１】従来例の説明図である。
【符号の説明】
【００４５】
１  外刃
２  外刃枠
３  内刃
４  内刃継手
５  内刃押上バネ
６  刃ブロック
７  保持枠
８  ガイド枠
９  結合部
１０  バネ受け部
１１  押さえ部
１２  枠部
１３  連結部
１３ａ，１３ｂ  壁
１４  隙間
１５  覆い部
１６  下方に開口した穴
１７  前後方向に開口した穴
Ａ  長手方向
Ｂ  前後方向
【図１】
0004595967.tif 000002
【図２】
0004595967.tif 000003
【図３】
0004595967.tif 000004
【図４】
0004595967.tif 000005
【図５】
0004595967.tif 000006
【図６】
0004595967.tif 000007
【図７】
0004595967.tif 000008
【図８】
0004595967.tif 000009
【図９】
0004595967.tif 000010
【図１０】
0004595967.tif 000011
【図１１】
0004595967.tif 000012